(57)【要約】【課題】加湿及び空気清浄を行なう加湿空気清浄機。【解決手段】本発明は、外部の汚染した空気を水膜が形成されているディスクに付着させ、貯水槽の水中に汚染物質を沈澱させることによって加湿及び空気清浄を行なう加湿空気清浄機に関するものである。【選択図】図２
2008128633.tif 000002
【特許請求の範囲】
【請求項１】
吸気口と吐出口を備えるハウジングと、
空気を前記ハウジング内部に吸入して吐出する送風ファンと、
吸入された空気の異物を除去し、加湿するディスク組立体と、
前記送風ファン及び前記ディスク組立体を駆動する駆動部とを含み、
前記ディスク組立体は、ディスク軸と前記ディスク軸に挿入されるディスクを含んで構成されることを特徴とする加湿空気清浄機。
【請求項２】
前記ディスク軸の一端に係止突起が形成され、
前記ディスク軸の終端に挿入されるキャップを含んで構成されることを特徴とする請求項１に記載の加湿空気清浄機。
【請求項３】
前記ディスクは複数個備えられ、
前記ディスク軸には、前記ディスクと前記ディスクの間に配置するようにスペーサが挿入され、
前記スペーサの外周面にはギヤが形成されることを特徴とする請求項２に記載の加湿空気清浄機。
【請求項４】
前記キャップにはフランジが形成され、
前記ディスク軸の終端に装着突起が突出して形成され、前記装着突起は円周方向に沿って折れ曲がり、
前記装着突起が挿入される挿入孔が前記フランジに形成されることを特徴とする請求項２に記載の加湿空気清浄機。
【請求項５】
前記ディスクは板状に形成され、
前記ディスク表面に放射状にリブが形成され、
前記リブには円周方向にストッパが突出して形成されることを特徴とする請求項１に記載の加湿空気清浄機。
【請求項６】
前記リブには回転方向の反対方向に凸状に湾曲部が形成され、
前記リブには、前記湾曲部と前記ストッパの間に回転方向の反対方向に凸状に折れ曲がる折曲部が形成されることを特徴とする請求項５に記載の加湿空気清浄機。
【請求項７】
前記ハウジングは、上部ハウジングと前記上部ハウジングの下部に配置される下部ハウジングウを含み、スイッチ本体と、前記スイッチ本体に設けられて加湿空気清浄機の電源を接続または遮断するスイッチング部を有して前記上部ハウジングに設置されるスイッチを含んで構成され、
前記下部ハウジングには、前記スイッチング部を支持する支持部が形成されることを特徴とする請求項１に記載の加湿空気清浄機。
【請求項８】
前記上部ハウジングに設けられ、前記スイッチが安着される安着溝が形成されるブラケットをさらに含み、
前記ブラケットには第１装着フックが両側に突出して形成され、
前記上部ハウジングには、前記第１装着フックとそれぞれ向かい合うように第２装着フックが２つ突出して形成されることを特徴とする請求項７に記載の加湿空気清浄機。
【請求項９】
前記上部ハウジングに設けられ、前記スイッチが安着される安着溝が形成されるブラケットをさらに含み、
前記ブラケットには、前記安着溝の両側に来るように挿入フックが形成されることを特徴とする請求項７に記載の加湿空気清浄機。
【請求項１０】
加湿空気清浄機のハウジングは、上部ハウジングと前記上部ハウジングの下部に配置される下部ハウジングを含み、
前記上部ハウジングと下部ハウジングが分離されているかどうかを感知する感知段階と、
前記上部ハウジングと前記下部ハウジングの分離状態によって前記加湿空気清浄機の電源を制御する制御段階を含んで構成されることを特徴とする加湿空気清浄機の制御方法。
【請求項１１】
前記ディスク軸に挿入される挿入部と、前記挿入部に連結される取っ手部を有して前記ハウジング内部に配置されるディスク軸の取っ手を含んで構成され、
前記ハウジングには前記取っ手部が安着される安着溝が形成されることを特徴とする請求項１に記載の加湿空気清浄機。
【請求項１２】
前記ハウジングにおいて、前記取っ手部が安着される面は傾斜して形成されることを特徴とする請求項１１に記載の加湿空気清浄機。
【請求項１３】
前記ハウジングの内壁には上下方向に支持リブが形成され、
前記安着溝は、前記支持リブの上部に形成されることを特徴とする請求項１１に記載の加湿空気清浄機。
【請求項１４】
前記ディスク軸は、断面形状が中心点を基準に上下非対称で左右非対称になるように形成されることを特徴とする請求項１に記載の加湿空気清浄機。
【請求項１５】
前記断面形状が中心点を基準に対角線に対して対称であることを特徴とする請求項１４に記載の加湿空気清浄機。
【請求項１６】
前記断面形状は、上部に上方に凸状の第１凸部が形成され、下部に前記第１凸部と交互に下方に凸状の第２凸部が形成されることを特徴とする請求項１４に記載の加湿空気清浄機。
【請求項１７】
前記ハウジングは貯水槽を含み、
前記貯水槽には、前記ディスク軸の両端が安着される非対称の安着溝が形成されることを特徴とする請求項１に記載の加湿空気清浄機。
【請求項１８】
前記ディスク軸の一端は、前記ディスク軸の他端よりも直径の小さい非対称形状であることを特徴とする請求項１７に記載の加湿空気清浄機。
【請求項１９】
前記ディスク軸の一端は、前記ディスク軸の他端よりも長さの短い非対称形状であることを特徴とする請求項１７に記載の加湿空気清浄機。
【請求項２０】
前記一端の非対称安着溝に係止片が形成されており、前記長さの長いディスク装着の他端が前記一端の非対称安着溝に安着されるとき、前記係止片に引っかかって離脱するようにすることを特徴とする請求項１９に記載の加湿空気清浄機。
【請求項２１】
前記ディスクのそれぞれの表面には、円弧形状のリブが複数個形成されることを特徴とする請求項１７に記載の加湿空気清浄機。
【請求項２２】
前記吸気口のそれぞれには吸い込まれる空気が前記送風ファンの中心部に集束するようにガイドする集束ガイド片がさらに形成されることを特徴とする請求項１に記載の加湿空気清浄機。
【請求項２３】
前記集束ガイド片のそれぞれは、中心部に向かって下に傾斜して前記ハウジングの辺の長さに沿って円弧形状に配置されることを特徴とする請求項２２に記載の加湿空気清浄機。
【請求項２４】
前記ハウジングの４面は、平面から見たとき凹状の円弧形状であり、
前記複数の吸気口は、背面側の上面と両方の側面側の上面の３ケ所にそれぞれ三角形状に分布することを特徴とする請求項２２に記載の加湿空気清浄機。
【請求項２５】
前記ハウジングは貯水槽を含み、
前記貯水槽に装着される殺菌部材を含んで構成されることを特徴とする請求項１に記載の加湿空気清浄機。
【請求項２６】
前記殺菌部材は、前記貯水槽に入って行く回転方向である前記ディスク先端側前方に装着されることを特徴とする請求項２５に記載の加湿空気清浄機。
【請求項２７】
前記複数のディスクは、複数の第１ディスクグループと複数の第２ディスクグループで構成され、
前記殺菌部材は、前記第１ディスクグループと前記第２ディスクグループの間の先端側前方に装着されることを特徴とする請求項２６に記載の加湿空気清浄機。
【請求項２８】
前記殺菌部材は、殺菌チップと、この殺菌チップを着脱可能に収納する収納フレームで構成され、
前記貯水槽には前記収納フレームが挿入される挿入溝が形成され、
前記挿入溝は前記貯水槽の内壁に形成された装着突起に形成され、
前記装着突起の内壁には結合突起が形成され、
前記収納フレームの外側面には前記結合突起が挿入される結合溝が形成されることを特徴とする請求項２５に記載の加湿空気清浄機。
【請求項２９】
前記装着突起には前記収納フレームの挿入方向に切開部が形成されることを特徴とする請求項２８に記載の加湿空気清浄機。
【請求項３０】
前記ディスクには貫通孔が形成され、
前記ディスク軸は前記貫通孔に結合され、
前記貫通孔から離隔された前記ディスクの外側周囲には外側リブが形成されることを特徴とする請求項１に記載の加湿空気清浄機。
【請求項３１】
前記貫通孔と前記外側リブの間に内側リブがさらに形成されることを特徴とする請求項３０に記載の加湿空気清浄機。
【請求項３２】
前記ディスクの外周部には滑り止め部が形成されることを特徴とする特徴とする請求項１に記載の加湿空気清浄機。
【請求項３３】
前記すべり止め部は、前記ディスクの内側に凹入形成されることを特徴とする請求項３２に記載の加湿空気清浄機。
【請求項３４】
前記ディスクは複数個備えられ、
前記ディスク間の間隔は６．５〜８．６ｍｍの範囲で形成されることを特徴とする請求項１に記載の加湿空気清浄機。
【請求項３５】
加湿器用ディスク組立体のディスク間隔の設定方法において、
ディスク間隔による流量、及び流量の均一度データが算定された複数のモデル試料を抽出し、前記抽出されたモデル試料の中から流動均一度が小さくてディスク個数が最も多いものを最適モデルとして選定することを特徴とする加湿器用ディスク組立体のディスク間隔設定方法。
【請求項３６】
加湿器用ディスク組立体のディスク間隔の設定方法において、
ディスク間隔による流量及び流量均一度データが算定された複数のモデル試料を抽出し、前記抽出されたモデル試料の中から流動均一度が０．３５以下のものを最適モデルとして選定することを特徴とする加湿器用ディスク組立体のディスク間隔設定方法。
【請求項３７】
前記送風ファンを取り囲むように形成されたシュラウドを含んで構成され、
前記シュラウドは、前記ハウジング面から突出形成されることを特徴とする請求項１に記載の加湿空気清浄機。
【請求項３８】
前記ハウジングは、
第２上部ハウジングと、
前記第２上部ハウジングの上部に結合される第１上部ハウジングを含んで構成され、
前記第２上部ハウジングの側面には空気が排出される前記吐出口が形成され、
前記第１上部ハウジングの上面には空気が流入する吸気口が形成されることを特徴とする請求項３７に記載の加湿空気清浄機。
【請求項３９】
前記第１上部ハウジングの空気流入断面は四角形で、前記シュラウドの空気流入断面は円形であることを特徴とする請求項３８に記載の加湿空気清浄機。
【発明の詳細な説明】
【技術分野】
【０００１】
本発明は、外部の汚染した空気を水膜が形成されたディスクに付着させ、貯水槽の水に汚染物質を沈澱させることによって加湿及び空気清浄を行なう加湿空気清浄機とその制御方法、及び加湿器用ディスク組立体のディスク間隔設定方法に関する。
【背景技術】
【０００２】
このようなタイプの従来の加湿空気清浄機としては、例えば、特許文献１及び特許文献２に開示されているものがある。
【０００３】
特許文献１の加湿空気清浄機は、図１に示すように、図面符号１０は上部ケースを示し、２０は内部に水を貯める下部ケースを示しており、上部ケース１０に形成される固定枠１１にモータ３０が固定され、モータ３０の軸には送風ファン３１が固定されている。固定枠１１の下側結合部１２には、１対のローラー４０が結合されており、前記モータ３０に電源が印加されて回転すると送風ファン３１が回転し、１対のローラー４０が同時に回転するようになる。
【０００４】
例えば、図示されていないが、前記モータ３０の軸とローラー４０の軸に互いに噛み合うウオームとウオームギアが設けられて、モータ３０の軸が回転することによってローラー４０が駆動される構造であり、上部ケース１０の一側部には、電源をオン／オフし、送風の強度を調節するための調節ノブ５０が結合されている。
【０００５】
図面符号１００は、ディスクローラー組立体を示し、このディスクローラー組立体１００は、ディスクＡとディスクＢがローラー状に組み立てられてディスクローラー１０１をなしており、両側のディスクローラー１０１が前記ローラー４０と接触して回転するように構成されている。
【０００６】
前記ディスクローラー組立体１００は、１対のディスクローラー１０１と、この１対のディスクローラー１０１に結合された軸棒１１１の両端部が回転可能にそれぞれ結合する１対の支持管と、両側の支持管が結合される取っ手で構成されている。
【０００７】
前記ディスクローラー１０１は、支持管の中間部に複数個のディスクＢが結合されるとともに、ディスクＢの両側部に中間支持板が結合され、支持管の両側部に複数個のディスクＡが結合されるとともに、支持管の端部にキャップがそれぞれ固定される構成とされている。
【０００８】
前記ディスクＡとディスクＢは、中間部に結合孔が形成されるとともに結合孔の周縁部に複数個の係止溝が形成され、複数個の切欠部が放射方向に形成され、一面には、複数個の連結突起が形成される他、他面には連結溝が対応する位置に形成される構成とされている。
【０００９】
前記中間支持板は、中間部に結合孔が形成され、結合孔の周縁部に環状の結合リブが形成されるとともに、環状結合リブに複数個の係止溝が形成され、一面に複数個の連結突起が形成され、他面には連結溝が対応する位置に形成される構成とされている。
【００１０】
前記キャップは、中間部に固定管部が一体に形成され、固定管部の端部に環状の係止爪が形成されており、固定管部の周囲に複数個の円形通孔が形成され、固定管部の外面にはくさび状の係止爪が形成される構成とされている。
【００１１】
前記支持管は、前記ディスクＡとディスクＢ、及び中間支持板の係止溝が挿入される係止リブが形成され、支持管の中間部には、前記中間支持板の結合リブが結合固定される係止爪が形成されており、支持管の両端部には、前記キャップの固定管部が挿入されてその係止爪が引っかかって固定される係止孔がそれぞれ形成されている。
【００１２】
前記ディスクローラー１０１は、組み立てる場合、支持管に１つの中間支持板、例えば、２つの中間支持板のうち右側中間支持板をその係止溝に支持管の係止リブが挿入されるように合わせて押し入れると、中間支持板の結合リブが支持管の係止爪の間に挿入されて安定的に固定される。次いで、複数個のディスクＢをその係止溝に支持管の係止リブが挿入されるように合わせて挿入した後、もう１つの中間支持板を上記のように挿入結合する。その後、支持管の両側部に複数個のディスクＡを前記ディスクＢのような方法で結合し、支持管の内側に軸端支持管が両端部に固定された軸棒１１１を挿入した後、前記支持管の両端部にキャップの固定管部を挿入すれば、固定管部に形成された係止爪が支持管の係止孔に挿入されて引っかかり、キャップの環状係止爪が軸棒１１１の両端部に固定された軸端支持管の内側端部に引っかかって堅固に固定される。このようにして、ディスクローラー１０１の組み立てが完了する。
【００１３】
このように組み立てられたディスクローラー１０１は、支持管の両端部に形成された軸孔に軸棒１１１の両側軸端支持管が挿入されてディスクローラー組立体１００をなし、ディスクローラー組立体１００の両側軸端支持管は、下部ケース２０の内壁面に形成された軸受けに回転可能に結合される。
【００１４】
前記ディスクローラー組立体１００を成すディスクＡとディスクＢ、中間支持板、キャップ及び支持管は、合成樹脂に芳香剤、抗菌剤及び殺菌剤などを混入することができ、例えば、射出成形により製造される。
【００１５】
上述のような下部ケース２０の内部に所定高さまで水を入れて上、下部ケース（１０、２０）を結合した後、モータ３０に電源を印加して駆動すると、モータ３０の回転力で送風ファン３１が回転し、送風ファン３１と連動するローラー４０によってディスクローラー１０１が回転する。これにより、ディスクローラー１０１のディスクＡ、Ｂに薄膜状に付着されている水がディスクＡ、Ｂの遠心力と送風ファン３１の強制送風力によって微細に分解されて空気とともに下部ケース２０の主壁に形成されたグリルを介して室内の四方に均一に拡散されて室内を加湿するようになる。
【００１６】
一方、特許文献１のディスクローラー１０１の表面は平坦面であり、特許文献２のディスク表面には半径方向に直線リブ（これは下部の水を汲み上げてディスク中心に水が流動し易くする送風ファンの役割をする）が所定間隔ごとに設けられている。
【００１７】
このようなディスクの構成のため、ディスクの洗浄が不便で、沈殿量及び加湿量が顕著に低下するという問題点がある。
【発明の開示】
【発明が解決しようとする課題】
【００１８】
そこで、本発明は上記従来の問題点に鑑みてなされたものであって、本発明の目的は、沈殿量及び加湿量を大きく向上させることができる加湿空気清浄機とその制御方法、及び加湿器用ディスク組立体のディスク間隔設定方法を提供することである。
【課題を解決するための手段】
【００１９】
上記目的を達成するためになされた本発明による加湿空気清浄機は、吸気口と吐出口を備えるハウジングと、空気を前記ハウジング内部に吸い込んで吐出する送風ファンと、吸い込まれた空気の異物を除去し、加湿するディスク組立体と、前記送風ファン及び前記ディスク組立体を駆動する駆動部を含み、前記ディスク組立体は、ディスク軸と前記ディスク軸に挿入されるディスクを含んで構成されることを特徴とする。
【００２０】
このような構成によれば、沈殿量及び加湿量を大きく向上させることができる。
【００２１】
一端に係止突起が形成されるディスク軸と、前記ディスク軸に挿入されるディスクと、前記ディスク軸の終端に挿入されるキャップを含み、ディスクを一方向からディスク軸に挿入した後でキャップを組み立てるため、組み立て工数が減少し、組み立てが容易となる。
【００２２】
前記ディスクは複数個備えられ、前記ディスク軸には前記ディスクと前記ディスクの間に位置するようにスペーサが挿入され、前記スペーサの外周面にはギアが設けられ、ディスクユニットの左右間隔を維持する役割をすると同時に、モータからディスク軸に回動力を伝達する役割もする。
【００２３】
前記キャップにはフランジが形成され、前記ディスク軸の終端には装着突起が突出して形成され、前記装着突起は、円周方向に沿って折れ曲がり、前記装着突起が挿入される挿入孔が前記フランジに形成されているので、キャップとディスク軸との組み立てが容易となる。
【００２４】
板状に形成されたディスクを含み、前記ディスク表面に放射状にリブが設けられ、前記リブには円周方向にストッパが突出して形成され、多量の水分がディスクに長時間含まれることができる。
【００２５】
前記リブには、回転方向の反対方向に凸状に湾曲部が形成されており、前記リブには、前記湾曲部と前記ストッパの間に回転方向の反対方向に凸状に折れ曲がった折曲部が形成されているので、湾曲部を通じて多量の水分を汲み上げることができ、折曲部を介してディスクが回動しても、水分がディスクから脱離することを防止することができる。
【００２６】
スイッチ本体と、前記スイッチ本体に設けられて加湿空気清浄機の電源を接続または遮断するスイッチング部を有して前記上部ハウジングに設置されるスイッチを含んで構成され、前記下部ハウジングには、前記スイッチング部を支持する支持部が形成されるので、前記上部ハウジングと前記下部ハウジングとの分離時に自動的に空気清浄機の電源が遮断されることで、使用者が水を補充したりディスクを洗浄する場合、ファンなどによって傷害を受けることを防止し、装置の損傷も防止することができる。
【００２７】
前記上部ハウジングに設けられ、前記スイッチが安着される安着溝が形成されるブラケットをさらに含み、前記ブラケットには第１装着フックが両側に突出して形成され、前記上部ハウジングには前記第１装着フックとそれぞれ向かい合うように第２装着フックが２つ突出して形成されているので、前記スイッチを簡単な構造で且つ容易に装着することが可能である。
【００２８】
前記上部ハウジングに設けられ、前記スイッチが安着される安着溝が形成されるブラケットをさらに含み、前記ブラケットには、前記安着溝の両側に位置するように挿入フックが形成されているので、スイッチを前記ブラケットに安定的に取り付けることができる。
【００２９】
ハウジングには、ディスク軸の取っ手の取っ手部が安着される安着溝が形成されているので、ディスク軸の取っ手がハウジング内部に安定的に配置されることによって左右に流動することを防止し、摩擦による騒音を防止することができる。
【００３０】
前記ハウジングにおいて、前記取っ手部が安着される面は傾斜して形成されるので、ディスク軸に挿入された状態で前記ハウジング内部に配置されるディスク軸の取っ手をより安定的に安着することができる。
【００３１】
前記ハウジングの内壁には上下方向に支持リブが形成され、前記安着溝は、前記支持リブの上部に形成されるので、前記安着溝の占める空間が小さく、前記ハウジングの内部空間が広くなる。
【００３２】
断面形状が中心点を基準に上下非対称で左右非対称になるように形成されているので、ディスクの前後が逆になってディスク軸に挿入されることを防止することができる。
【００３３】
前記断面形状が中心点を基準に対角線に対して対称に形成され、左右バランスが取れるので、地面でディスクをディスク軸に挿入した場合、ディスクがバランスを取り、停止状態を維持することができる。
【００３４】
水膜形成用ディスクを装着したディスク軸の両端が互いに非対称形状に構成されることで、ディスクの回転方向が逆になることを防止して確実に動力伝達を行うとともに、特に、ディスク表面に円弧形状のリブが形成される場合、このリブが正確に水を汲み上げることができる方向に装着されるので、沈殿量と加湿量の効率を向上させることができる。
【００３５】
また、一端の非対称安着溝には係止片が形成されることで、長さの長い他端の支持軸が前記一端の非対称安着溝に安着されるとき、前記係止片に引っかかって完全に離脱するようにして、ディスク組立体の誤組立を確実に防止することができる。
【００３６】
吸気口に集束ガイド片が形成されているので、吸い込まれる空気が送風ファンの中心に集束する比率を高め、加湿量及び沈殿量のような性能を向上させることができる。
【００３７】
また、ハウジングの４面が正面から見て凹状の円弧形状で、複数の吸気口は、背面側の上面と両方側面側の上面の３カ所にそれぞれ三角形態に分布し、前記集束ガイド片のそれぞれは、中心部に向かって下方に傾斜して前記ハウジング辺の長さに沿って円弧形状に配置することにより、外観が美しく、中心部側への空気流入量が多くなり、沈殿量と加湿量をより向上させることができる。
【００３８】
殺菌部材が貯水槽に装着されるので、液体殺菌剤をいちいち水と希釈して混合する煩わしさがなく、取り扱いが簡単である。
【００３９】
また、殺菌部材は、貯水槽に入っていく回転方向である前記ディスク先端側の前方に装着されるので、水流が起こる地点に殺菌部材が配置され、殺菌物質の溶出が良好で、且つこの溶出された殺菌物質が貯水槽内に均一に拡散する。
【００４０】
また、複数のディスクは、複数の第１ディスクグループと複数の第２ディスクグループで構成される場合、殺菌部材は、前記第１ディスクグループと前記第２ディスクグループの間の先端側前方に装着されることで、溶出効率及び拡散効果をより向上させることができる。
【００４１】
また、装着突起に収納フレームの挿入方向に切開部が形成されることにより、挿入または離脱する場合、弾性変形が生じて本来の機能を発揮しながら円滑な着脱が可能となる。
【００４２】
ディスク間隔による流量、及び流量の均一度データが算定された複数のモデル試料を抽出し、前記抽出されたモデル試料の中から流動均一度が小さくてディスク個数が最も多いものを最適モデルとして選定する方法により、ディスク回転による加湿効率を最大化することができる。
【００４３】
なお、加湿器用ディスク組立体のディスク間隔設定方法において、ディスク間隔による流量、及び流量均一度データが算定された複数のモデル試料を抽出し、前記抽出されたモデル試料の中から流動均一度が０．３５以下であるものを最適モデルとして選定する方法により、ディスク回転による加湿効率を最大化することができる。
【００４４】
さらに、ディスク組立体のディスク間の間隔を６．５〜８．６ｍｍの範囲で形成することにより、ディスク回転による加湿効率を最大化することができる。
【００４５】
一方、加湿器のボトル底にディスクのディスク軸を挿入して固定することができる固定部を設けることで、ディスクの掃除時、ディスク組立体を分離し、そのディスク軸を固定部に挿入して固定した後で前記ディスク組立体を分解して掃除作業を行なうことができるので、ディスク組立体の掃除が極めて容易となる。また、ディスク組立体を分離してボトルの外部で掃除を行なう従来方法において、ディスク組立体の移動分解過程で水が落ちて床を汚すという問題を解決することができ、ディスク組立体の移動中に発生するディスクの損傷を防止できると同時に、ディスク組立体の複数の組合物を分解して並べる作業空間上の制約も解決することができる。
【００４６】
また、加湿器のボトル内部にディスクを支持することができる支持部を形成することで、ディスク掃除時に固定部上に固定されたディスク組立体のディスク枠部分が前記支持部によって安定的に支持されるので、ディスク組立体が前後または左右方向に揺れることなく、組み立て及び分解作業を行なうことができる。
【００４７】
また、前記支持部をディスクのディスク軸が支持される軸支持部やボトルの底から突出して形成された取っ手部として採用することで、ディスクを支持するためのボトル内部の構造を簡単に構成することができる。
【００４８】
また、前記支持部をボトルの底から突出した取っ手部と、前記取っ手部の上部にディスクを支持するように形成された支持フレームで構成する場合、ボトル内部の空間制約を最小化することができる。
【００４９】
また、前記ディスクの外周部に滑り止め部を形成することで、掃除時にディスク組立体を分離して地面に置く場合、前記円形のディスク組立体が転がることを防止することができる。
【００５０】
また、前記滑り止め部をディスクの内側に凹入形成することで、前記ディスクの製造が容易となり、ディスクの重量も減少する。
【００５１】
また、前記ディスクの貫通孔から離隔された外側周囲に外側リブを設けることで、前記外側リブによってディスク間の間隔を一定に調節可能となり、長期間使用時に水がディスク貫通孔の内部に流れ込んで異物が挟まるなどの問題を防止することができる。
【００５２】
また、前記貫通孔と外側リブの間に内側リブをさらに設けることにより、前記外側リブと前記外側リブを通じて貫通孔内部へ水が流れ込むのを二重に遮断することができる。
【００５３】
また、送風ファンを取り囲むシュラウドをハウジングから突出形成することで、送風ファンの駆動による騒音発生を低減し、前記吸入ファンによる空気の流入風量を増大させることができる。
【００５４】
また、前記空気が流入する第１上部ハウジングの空気流入断面を四角形状に形成し、シュラウドの空気流入断面を円形状に形成することで、送風ファンによる空気流入時、空気流路の急激な変化とともに渦流発生を増加させ、騒音低減及び風量増大の効果を最大化することができる。
【発明の効果】
【００５５】
本発明による加湿空気清浄機により以下のような効果がある。
【００５６】
一端に係止突起が形成されるディスク軸と、前記ディスク軸に挿入されるディスクと、前記ディスク軸の終端に挿入されるキャップを含み、ディスクを一方向からディスク軸に挿入した後でキャップを組み立てるため、組み立て工数が減少し、組み立てが容易となる。
【００５７】
前記ディスクは複数個備えられ、前記ディスク軸には前記ディスクと前記ディスクの間に位置するようにスペーサが挿入され、前記スペーサの外周面にはギアが設けられ、ディスクユニットの左右間隔を維持する役割をすると同時に、モータからディスク軸に回動力を伝達する役割もする。
【００５８】
前記キャップにはフランジが形成され、前記ディスク軸の終端には装着突起が突出形成され、前記装着突起は、円周方向に沿って折れ曲がり、前記装着突起が挿入される挿入孔が前記フランジに形成されているので、キャップとディスク軸との組み立てが容易となる。
【００５９】
板状に形成されたディスクを含み、前記ディスク表面に放射状にリブが設けられ、前記リブには円周方向にストッパが突出して形成され、多量の水分がディスクに長時間含まれることができる。
【００６０】
前記リブには回転方向の反対方向に凸状に湾曲部が形成されており、前記リブには前記湾曲部と前記ストッパの間に回転方向の反対方向に凸状に折れ曲がった折曲部が形成されているので、湾曲部を通じて多量の水分を汲み上げることができ、折曲部を介してディスクが回動しても水分がディスクから脱離することを防止することができる。
【００６１】
スイッチ本体と、前記スイッチ本体に設けられて加湿空気清浄機の電源を接続または遮断するスイッチング部を有して前記上部ハウジングに設置されるスイッチを含んで構成され、前記下部ハウジングには前記スイッチング部を支持する支持部が形成されるので、前記上部ハウジングと前記下部ハウジングとの分離時に自動的に空気清浄機の電源が遮断されることで、使用者が水を補充したりディスクを洗浄する場合、ファンなどによって傷害を受けることを防止し、装置の損傷も防止することができる。
【００６２】
前記上部ハウジングに設けられ、前記スイッチが安着される安着溝が形成されるブラケットをさらに含み、前記ブラケットには第１装着フックが両側に突出して形成され、前記上部ハウジングには前記第１装着フックとそれぞれ向かい合うように第２装着フックが２つ突出して形成されているので、前記スイッチを簡単な構造で且つ容易に装着することが可能である。
【００６３】
前記上部ハウジングに設けられ、前記スイッチが安着される安着溝が形成されるブラケットをさらに含み、前記ブラケットには前記安着溝の両側に位置するように挿入フックが形成されているので、スイッチを前記ブラケットに安定的に取り付けることができる。
【００６４】
ハウジングにはディスク軸の取っ手の取っ手部が安着される安着溝が形成されているので、ディスク軸の取っ手がハウジング内部に安定的に配置され、左右に流動することを防止し、摩擦による騒音を防止することができる。
【００６５】
前記ハウジングにおいて、前記取っ手部が安着される面は傾斜して形成されるので、ディスク軸に挿入された状態で前記ハウジング内部に配置されるディスク軸の取っ手をより安定的に安着することができる。
【００６６】
前記ハウジングの内壁には上下方向に支持リブが形成され、前記安着溝は、前記支持リブの上部に形成されるので、前記安着溝の占める空間が小さく、前記ハウジングの内部空間が広くなる。
【００６７】
断面形状が中心点を基準に上下非対称で左右非対称になるように形成されているので、ディスクの前後方向が逆になってディスク軸に挿入されることを防止することができる。
【００６８】
前記断面形状が中心点を基準に対角線に対して対称に形成され、左右バランスが取れるので、地面でディスクをディスク軸に挿入した場合、ディスクがバランスを取り停止状態を維持することができる。
【００６９】
水膜形成用ディスクを装着したディスク軸の両端が互いに非対称形状に構成されることで、ディスクの回転方向が逆になることを防止して確かに動力伝達を行うとともに、特に、ディスク表面に円弧形状のリブが形成される場合、このリブが正確に水を汲み上げることができる方向に装着されるので、沈殿量と加湿量の効率を向上させることができる。
【００７０】
また、一端の非対称安着溝には係止片が形成されており、長さの長い他端の支持軸が前記一端の非対称安着溝に安着されるとき、前記係止片に引っかかって完全に離脱するようにするので、ディスク組立体の誤組立を確実に防止することができる。
【００７１】
吸気口に集束ガイド片が形成されているので、吸い込まれる空気が送風ファンの中心に集束する比率を高め、加湿量及び沈殿量のような性能を向上させることができる。
【００７２】
また、ハウジングの４面が正面から見て凹状の円弧形状で、複数の吸気口は、背面側の上面と両方の側面側の上面の３カ所にそれぞれ三角形態に分布し、前記集束ガイド片のそれぞれは、中心部に向かって下方に傾斜して前記ハウジング辺の長さに沿って円弧形状に配置することにより、外観が美しく、中心部側への空気流入量が多くなり、沈殿量と加湿量をより向上させることができる。
【００７３】
殺菌部材が貯水槽に装着されるので、液体殺菌剤をいちいち水と希釈して混合する煩わしさがなく、取り扱いが簡単である。
【００７４】
また、殺菌部材は、貯水槽に入っていく回転方向である前記ディスク先端側の前方に装着されるので、水流が起こる地点に殺菌部材が配置され、殺菌物質の溶出が良好で、且つこの溶出された殺菌物質が貯水槽内に均一に拡散する。
【００７５】
また、複数のディスクは、複数の第１ディスクグループと複数の第２ディスクグループで構成される場合、殺菌部材は、前記第１ディスクグループと前記第２ディスクグループの間の先端側前方に装着されることで、溶出効率及び拡散効果をより向上させることができる。
【００７６】
また、装着突起に収納フレームの挿入方向に切開部が形成されており、挿入または離脱する場合、弾性変形が生じて本来の機能を発揮しながら円滑な着脱が可能となる。
【００７７】
ディスク間隔による流量、及び流量の均一度データが算定された複数のモデル試料を抽出し、前記抽出されたモデル試料の中から流動均一度が小さくてディスク個数が最も多いものを最適モデルとして選定する方法により、ディスク回転による加湿効率を最大化することができる。
【００７８】
なお、加湿器用ディスク組立体のディスク間隔設定方法において、ディスク間隔による流量、及び流量均一度データが算定された複数のモデル試料を抽出し、前記抽出されたモデル試料の中から流動均一度が０．３５以下であるものを最適モデルとして選定する方法により、ディスク回転による加湿効率を最大化することができる。
【００７９】
さらに、ディスク組立体のディスク間の間隔を６．５〜８．６ｍｍの範囲で形成することにより、ディスク回転による加湿効率を最大化することができる。
【００８０】
一方、加湿器のボトル底にディスクのディスク軸を挿入して固定できる固定部を設けることで、ディスクの掃除時、ディスク組立体を分離し、そのディスク軸を固定部に挿入して固定した後、前記ディスク組立体を分解して掃除作業を行なうことができるので、ディスク組立体の掃除が極めて容易となる。また、ディスク組立体を分離してボトルの外部で掃除を行なう従来方法において、ディスク組立体の移動分解過程で水が落ちて床を汚すという問題を解決することができ、ディスク組立体の移動中に発生するディスクの損傷を防止できると同時に、ディスク組立体の複数の組合物を分解して並べる作業空間上の制約も解決することができる。
【００８１】
また、加湿器のボトル内部にディスクを支持することができる支持部を形成することで、ディスク掃除時に固定部上に固定されたディスク組立体のディスク枠部分が前記支持部によって安定的に支持されるので、ディスク組立体が前後または左右方向に揺れることなく、組み立て及び分解作業を行なうことができる。
【００８２】
また、前記支持部をディスクのディスク軸が支持される軸支持部やボトルの底から突出して形成された取っ手部として採用することで、ディスクを支持するためのボトル内部の構造を簡単に構成することができる。
【００８３】
また、前記支持部をボトルの底から突出した取っ手部と、前記取っ手部の上部にディスクを支持するように形成された支持フレームで構成する場合、ボトル内部の空間制約を最小化することができる。
【００８４】
また、前記ディスクの外周部に滑り止め部を形成することで、掃除時にディスク組立体を分離して地面に置く場合、前記円形のディスク組立体が転がることを防止することができる。
【００８５】
また、前記滑り止め部をディスクの内側に凹入形成することで、前記ディスクの製造が容易となり、ディスクの重量も減少する。
【００８６】
また、前記ディスクの貫通孔から離隔された外側周囲に外側リブを設けることで、前記外側リブによってディスク間の間隔を一定に調節可能となり、長期間使用時に水がディスク貫通孔の内部に流れ込んで異物が挟まるなどの問題を防止することができる。
【００８７】
また、前記貫通孔と外側リブの間に内側リブをさらに設けることにより、前記外側リブと前記外側リブを通じて貫通孔内部へ水が流れ込むのを二重に遮断することができる。
【００８８】
また、送風ファンを取り囲むシュラウドをハウジングから突出形成することで、送風ファンの駆動による騒音発生を低減し、前記吸入ファンによる空気の流入風量を増大させることができる。
【００８９】
また、前記空気が流入する第１上部ハウジングの空気流入断面を四角形状に形成し、シュラウドの空気流入断面を円形状に形成することで、送風ファンによる空気流入時、空気流路の急激な変化とともに渦流発生を増加させ、騒音低減及び風量増大の効果を最大化することができる。
【発明を実施するための最良の形態】
【００９０】
以下、添付した図面を参照して本発明の好ましい実施例を詳細に説明する。
【００９１】
図２は、本発明の好適な実施例による加湿空気清浄機の分離斜視図である。図１９は、図２の結合正面図であり、図２０は、図１９のＡ−Ａ線に沿った断面図である。
【００９２】
図２〜図４、及び図１９、図２０に示すように、本実施例の加湿空気清浄機は、ハウジングと、前記ハウジング内部に設けられる加湿空気清浄本体と、スイッチ本体と、前記スイッチ本体に設けられて加湿空気清浄機の電源を接続または遮断するスイッチング部８３０を有し、前記上部ハウジング２００に設けられるスイッチ８００を含んで構成される。前記ハウジング１００には前記スイッチング部８３０を支持する支持部が形成されている。
【００９３】
前記ハウジングは、上部ハウジング２００と前記上部ハウジング２００の下部に設けられる下部ハウジング１００を含む。下部ハウジング１００は、水を貯めておく貯水槽１００である。前記上部ハウジング２００は、第１上部ハウジング４００と、第１上部ハウジング４００と下部ハウジング１００の間に配置される第２上部ハウジング３００を含む。
【００９４】
第１上部ハウジング４００は、四角形状の上面と、上面を取り囲む側面からなるボックス形状で、上面には複数の吸気口４０１が形成されている。
【００９５】
吸気口４０１は、空気流入断面が四角形状になるように四角形状の第１上部ハウジング４００の上面部の全体に形成されることが好ましい。第１上部ハウジング４００は、図４に示すように、平面から見て４面４０３が凹状の円弧形状とされている。
【００９６】
吸気口４０１は、グリル形状が好ましく、吸気口４０１は、放射方向の前方側を除いた３ヶ所に形成されている。すなわち、後で説明する調節部４０２が設けられた部分の上面には吸気口４０１が形成されないことが好ましい。また、複数の吸気口４０１は、中心に向かうほどその長さが短くなる三角形状が好ましい。
【００９７】
特に、吸気口４０１のそれぞれには、図２０及び図４に示すように、集束ガイド片４１０が形成されることが好ましい。この集束ガイド片４１０は、吸い込まれる空気が送風ファン９１０の中心に向かって傾斜して設けられていて、中心部への吸い込み効率を大きく向上させることができる。また、送風ファン９１０の中心部に空気を吸い込み流動することから、送風ファン９１０の周辺、特に、ケーシング９２０と第１上部ハウジング４００の間への空気流動による騒音を顕著に減らすことができる。
【００９８】
また、集束ガイド片４１０は、図４に示すように、中央側が送風ファン９１０の中心部に近く配置される円弧形状に曲がっているので（すなわち、４面の円弧形状と同じ方向に配向）、中心部側への空気吸い込み量を増加させ、沈殿量及び加湿量をより増加させることができる。
【００９９】
第１上部ハウジング４００の側面には、調節部４０２がダイヤル型式に備えられ、送風機９００またはディスク６２０の回転速度などを調節し、沈殿量及び加湿量などを調節することができる。
【０１００】
第２上部ハウジング３００は、第１枠３１０と、第１枠３１０の下部に設けられる中間部３２０と中間部３２０の下部に設けられる第２枠３３０を含む。
【０１０１】
第１枠３１０及び第２枠３３０は、第１上部ハウジング４００及びハウジング１００の断面形状に対応するように四角の輪状のフレームで形成される。第１枠３１０の各角部には、円筒形状の装着パイプ３１５が下部に突出するように形成されている。
【０１０２】
同様に、第２枠３３０にも各角部に装着パイプ３３５が上部に突出するように形成されている。装着パイプ３３５の終端には断面積が縮小した縮小部が形成されている。前記縮小部内壁にはボルトを締結するためのねじ山が形成されている。このような前記縮小部により、装着パイプ３３５の内部にはボルトの頭部が安着される安着部が形成される。また、前記縮小部は、外径も縮小して、第１枠３１０に形成されている前記装着パイプ３１５の終端に挿入されるようになる。
【０１０３】
前記装着パイプ３３５の終端内壁にも同様に、ボルトを締結するためのねじ山が形成されている。
【０１０４】
上記とは異なり、前記縮小部を前記第１枠３１０に設けられている前記装着パイプ３１５に形成することも可能である。
【０１０５】
また、図３に示すように、装着パイプ３３５と第２枠３３０を連結するリブを上下方向に形成することで、剛性を大きくすることができる。また、第１枠３１０及び第２枠３３０のそれぞれの角部には貫通孔３３２が形成されている。
【０１０６】
第１枠３１０及び第２枠３３０の外周面の周囲には、上部及び下部に係止突出部がそれぞれ形成されている。第１枠３１０上部の係止突出部は、第１上部ハウジング４００が引っかかり、下部の係止突出部は、中間部３２０上部が引っかかるようになる。
【０１０７】
第２枠３１０上部の係止突出部は、中間部３２０下部が引っかかり、下部の係止突出部は、下部ハウジング１００が引っかかるようになる。第２枠３３０の下部には、電線をガイドする引き出し溝３３１が２つＶ字状に形成されている。
【０１０８】
また、第２枠３３０上部の内壁には、２つの引き出し溝３３１の間に配置されるように電線ガイド３３３が設けられる。電線ガイド３３３は、第１ガイド片と、前記第１ガイド片から離隔されて形成される第２ガイド片を含み、前記第１ガイド片と前記第２ガイド片の間に電線が挿入されてガイドされる。前記第２ガイド片は逆フ字状に折れ曲がって形成される。
【０１０９】
また、第２枠３３０の内壁には、前記第２ガイド片の上部に位置するようにボルトが挿入される挿入孔が形成されている。前記挿入孔に電線を取り囲む電線ブラケットを通過したボルトが締結されて、電線の位置が固定される。これにより、前記第２ガイド片は、前記の電線ブラケットを支持する役割も兼ねる。
【０１１０】
第２枠３３０において、電線ガイド３３３が形成された辺と同じ辺の内壁には、スイッチ取付け部３３４が形成されている。
【０１１１】
図４及び図６に示すように、前記上部ハウジングの第２枠３３０には第２装着フック３３６が２つ突出して形成され、スイッチ取付け部３３４は溝形状に形成される。第２装着フック３３６は、装置の内側に向かうほど第２装着フック３３６の厚さが薄くなるように内側面が傾斜して形成される。２つの第２装着フック３３６は、傾斜面が互いに向かい合うように形成される。
【０１１２】
両側の第２装着フック３３６にはそれぞれの内側に突起が形成されている。両側の前記突起は、互いに離隔して形成され、それぞれの前記突起は、第２装着フック３３６から離隔して形成される。すなわち、前記突起と第２装着フック３３６の間には空間部が形成される。それぞれの前記突起には、装置の上下方向に溝が形成されている。
【０１１３】
中間部３２０は、断面が四角形状であるパイプ状に形成され、上部と下部が開放されている。中間部３２０は、両側面と前面に排気口３２１がグリル状に形成されている。排気口３２１の支持フレームは、水平方向に配置され、傾斜して配置される。
【０１１４】
中間部３２０の後面には取り付け面３２２が形成されている。取り付け面３２２の内壁には両側に突起が形成され、ブラケット８５０が挿入される安着溝が形成されている。
【０１１５】
中間部３２０の各角部には、装着パイプ３３５の表面形状に対応するように溝が長手方向に形成されている。中間部３２０の上部には、ケーシング９２０が水平方向に形成されている。ケーシング９２０の中心部には、空気が通過するための貫通孔が形成されている。また、ケーシング９２０の各角部には、前記装着パイプが挿入される溝が形成されている。さらに、ケーシング９２０には調節部４０２と連結された電線が通過するための電線引き出し孔が上下方向に形成されている。
【０１１６】
一方、図２４は、本発明による送風ファン９１０を設置した周辺部の構造を示す。
【０１１７】
図２４に示すように、本発明の送風ファン９１０が備えられた第２上部ハウジング３００の上面であるケーシング９２０には、送風ファン９１０を取り囲むように前記送風ファン９１０周辺の貫通孔に沿って円形のシュラウド（ｓｈｒｏｕｄ）９２１が形成されている。
【０１１８】
前記シュラウド９２１は円形であるので、空気が流入される断面形態が円形となり、前記シュラウド９２１の内部面は、滑らかな曲線状に形成されるので、吸い込まれる空気が前記内部面に沿って滑らかにガイドされることができる。
【０１１９】
この場合、前記シュラウド９２１は、前記貫通孔が形成された前記第２上部ハウジング３００の上面に配置されたケーシング９２０から上向きに突出して形成された構造を有する。
【０１２０】
このような構成の上部ハウジング２００は、第１上部ハウジング４００に第１枠３１０を固定させ、第１枠３１０に形成された前記装着パイプ３１５を中間部３２０の角部に形成された溝に挿入し、第２枠３３０に形成された装着パイプ３３５を中間部３２０の角部に挿入すると同時に、終端を前記装着パイプに挿入し、装着パイプ３３５にボルトを挿入した後でねじ結合して組み立てを完成する。
【０１２１】
ここで、第１枠３１０、中間部３２０、及び第２枠３３０は、１つの第２上部ハウジングまたは排気フレーム３００で構成可能であることは当業者にとって公知である。
【０１２２】
前記加湿空気清浄本体は、前記ハウジング内部に配置され、従来技術のように、室内の空気を吸い込み水を通じて空気に含まれた異物を沈澱除去し、空気を加湿した後に外部に排気する役割をする。
【０１２３】
スイッチ８００は、図４及び図５に示すように、スイッチ本体と、前記スイッチ本体に設けられて加湿空気清浄機の電源を接続または遮断するスイッチング部８３０を含み、前記上部ハウジングに設置される。
【０１２４】
前記スイッチ本体は、上部に接続端子８１０が２つ突出形成されている。前記スイッチ本体は、マイクロスイッチとして備えることができる。
【０１２５】
接続端子８１０の１つは電源接続線に、もう１つは駆動部１０００に接続されている。また、前記スイッチ本体の下部にはタクトスイッチ８４０が形成されている。さらに、前記スイッチ本体には両側に挿入孔８２０が形成されている。
【０１２６】
スイッチング部８３０は、前記スイッチ本体のタクトスイッチ８４０の下部に配置され、前記スイッチ本体に一端が回動可能に連結される。スイッチング部８３０は、板スプリングとして備えられ、外部から力を加えると弾性変形してタクトスイッチ８４０を押すようになり、力を除去するとタクトスイッチ８４０から脱離する。
【０１２７】
従って、スイッチング部８３０は、電源接続線と駆動部１０００とを接続したり、接続を断ったりすることで、加湿空気清浄機の電源を接続または遮断する。
【０１２８】
スイッチング部８３０は板状に形成され、終端に下方に凸状の屈曲部が形成されている。このようなスイッチ８００が韓国公開実用新案第１９９８-００３２０１７号に開示されている。
【０１２９】
このようなスイッチ８００を備え、前記上部ハウジング２００を下部ハウジング１００に組み立てると、スイッチング部８３０が下部ハウジング１００の第２支持部１２０に接触し、スイッチング部８３０が回動し、タクトスイッチ８４０を押すようになる。その結果、電源接続線と駆動部１０００とが接続される。
【０１３０】
また、前記上部ハウジング２００が下部ハウジング１００から脱離すると、スイッチング部８３０が下部ハウジング１００の第２支持部１２０から分離され、スイッチング部８３０の位置がもとの位置に戻り、タクトスイッチ８４０を押さなくなる。これによって電源接続線と駆動部１０００の接続が断たれる。
【０１３１】
このように、前記上部ハウジングと前記下部ハウジング１００とが分離されると自動的に装置の電源が遮断されるので、使用者が水を補充したりディスク６２０を洗浄する場合、使用者が送風機９００などによって傷害を受けることを防止することができ、装置が損傷することを防止することができる。
【０１３２】
ブラケット８５０は、前記上部ハウジングの中間部３２０後面に設けられ、スイッチ８００が安着される安着溝が形成される。前記安着溝は、装置の上下方向に長く形成され、ブラケット８５０は、スイッチ８００が設けられる取り付け部と、前記取り付け部の上部に形成されるガイド部を含む。
【０１３３】
前記取り付け部は、スイッチ８００の大きさに対応するように形成され、前記ガイド部は、前記取り付け部より断面積が小さくなるように形成される。前記取り付け部は、下端両側に第１装着フック８５３が第２装着フック３３６と向かい合うように突出して形成される。すなわち、第１装着フック８５３は、装置の中心側に向かうほど厚さが大きくなるように傾斜面が形成されている。
【０１３４】
ブラケット８５０の前記取り付け部には、前記安着溝の両側に位置するように挿入フック８５２が形成される。挿入フック８５２は、第１装着フック８５３の上部に配置される。挿入フック８５２は、ブラケット８５０の両側が切開されて形成され、ブラケット８５０の内側に向かうほど厚さが小くなるように傾斜面が形成される。
【０１３５】
さらに、ブラケット８５０の内壁には、両側の挿入フック８５２の間に配置されるように挿入孔８２０に挿入される突起８５４が形成されている。突起８５４は、ブラケット８５０の外側面から内側に押して突出するように形成される。
【０１３６】
このような構成のスイッチ８００及びブラケット８５０は、ブラケット８５０の前記安着溝にスイッチ８００を挿入すると両側の挿入フック８５２の傾斜面に沿って滑り、突起８５４が挿入孔８２０に挿入されて組み立てが完了する。このようにしてスイッチ８００は、ブラケット８５０に安定的に固定される。
【０１３７】
このようなブラケット８５０は、第１装着フック８５３を第２装着フック３３６の間に嵌め込み、スイッチ８００を前記上部ハウジングの中間部３２０に設置する。
【０１３８】
このように、スイッチ３００を前記ブラケット８５０にワンタッチ式で組み立てることができ、ブラケット８５０を前記上部ハウジングにワンタッチ式で設置することができるので、構造が簡単で組み立てが容易となる。
【０１３９】
また、このようなブラケット８５０を介してスイッチ３００を安定的に設置することが可能である。
【０１４０】
前記ガイド部の内周面には、両側内壁に接続電線をガイドするガイド突起８５１が複数個形成されている。ガイド突起８５１は、両側内壁に互いに交互に形成されている。このようなガイド突起８５１を介して接続電線を安定的にブラケット８５０内部に設けることができる。
【０１４１】
また、ブラケット８５０上端の外周面に挿入溝が形成されているので、他の構成と安定的に連結することができる。
【０１４２】
このようなが加湿空気清浄本体は、大きく分けて、室内の空気を前記ハウジング内部へ吸い込む送風機９００と、吸い込まれた空気の異物を沈澱除去して加湿するディスク組立体６００と、送風機９００及びディスク組立体６００を駆動させる駆動部１０００を含む。
【０１４３】
送風機９００は、中間部３２０のケーシング９２０に設けられた送風ファン９１０により吸気口４０１に強制流入された室内の空気をケーシング９２０の貫通孔を通じて移送した後、排気口３２１へ強制排出させる。送風ファン９１０は、送風モータ９３０の回転動力を受ける。
【０１４４】
ディスク組立体６００は、図７及び図８に示すように、一端に係止突起６１２が形成されるディスク軸６１０と、前記ディスク軸６１０に挿入されるディスク６２０と、前記ディスク軸６１０の終端に挿入されるキャップ６４０を含んで構成されている。
【０１４５】
ディスク６２０は、複数のディスクを形成する第１ディスクグループ６２０Ａと、第２ディスクグループ６２０Ｂで構成される。ディスク６２０のそれぞれは、貯水槽１００の水を汲み上げて表面に付着させて水膜を形成する。この水膜は、流入された空気を吸着した後、再び貯水槽１００に入り水中に汚染物質を沈澱させる。このような効果を向上させるために、ディスク６２０の表面に円弧形状のリブ６２３が風車形状に配置されることが好ましい。すなわち、リブ６２３は、ディスク６２０の中心部と周縁の間に配置され、放射状に複数個形成されている。
【０１４６】
ディスク軸６１０の両端は、貯水槽１００の安着溝（１１１、１１４）に安着支持される支持軸（６４５ａ、６１５ａ）である。一端の支持軸６４５ａと他端の支持軸６１５ａは互いに非対称形状に構成されることが好ましい。すなわち、非対称形状の支持軸６４５ａは安着溝１１１に、支持軸６１５ａは安着溝１１４にのみ安着されるようにし、円弧形状のリブ６２３の回転位置が逆になることを防止するためである。もしリブ６２３の回転位置が逆になれば、水を汲み上げる効果がなくなり、沈澱及び加湿量の効率が著しく低下するか、ディスク軸６１０の回転駆動不良を起こして寿命が短くなる。
【０１４７】
非対称形状の具体的な例は、図１６及び図１７に示すように、支持軸６４５ａの直径（ｄ）を、支持軸６１５ａの直径（Ｄ）より小さくすることである（安着溝の場合も同様に、非対称構造であることが分かる）。直径の非対称構造により、ディスク軸６１０の位置が逆になる場合、直径の大きい支持軸６１５ａが直径の小さい安着溝１１１に安着されないため、誤組立を事前に防止することができる。また、安着溝（１１１、１１４）の内周面には線接触突起１１２が形成され、回転する支持軸（６１５ａ、６４５ａ）との摩擦抵抗を大きく減少させることができる。
【０１４８】
一方、非対称形状の具体的な他の例は、一端の支持軸は他端の支持軸の長さより短くすることである。これは、図１６及び図１７に示すように、他端の支持軸６１５ａの終端に支持突起６１１をさらに設けて、この支持突起６１１の長さだけ一端の支持軸６４５ａより長くすることができる。支持突起６１１は、安着溝１１５に安着支持されることが好ましい。
【０１４９】
また、位置が逆になる誤組立をより確実に防止するためには、安着溝１１１に係止片１１３を形成することが好ましい。この係止片１１３は、支持突起６１１が安着溝１１１に安着されるとき、支持突起６１１が係止片１１３の周縁に引っ掛かって離脱するので、根本的に防止することができる。
【０１５０】
支持突起６１１と支持軸６１５ａは、図４に示すように、アーム６０１により互いに連結される方が、重量を減らして回転動力の負荷を低下させるので好ましい。
【０１５１】
また、支持突起６１１と支持軸６１５ａ及び支持軸６４５は、図４及び図１７に示すように、パイプ状に形成することが好ましい。すなわち、支持軸６１５ａは、安着溝１１５の側面に接触する場合、または、支持軸６４５ａは、係止片１１３の側面に接触する場合、薄い厚さだけが接触するため、接触面積を減らして回転時の摩擦抵抗を大きく減少させることができる。
【０１５２】
ディスク軸６１０は、棒形状に形成され、支持軸６１５ａの一側外周面にストッパ６１２が形成される。また、ディスク軸６１０の他側には突起６１５が段差を有して形成されている。すなわち、突起６１５は、断面積が縮小するように他の部分より小さな直径を有する。突起６１５には、外周面にディスク軸６１０の長手方向に溝が形成されている。さらに、突起６１５の外周面にはねじ山を形成することができる。
【０１５３】
突起６１５近くのディスク軸６１０の他側終端には装着突起６１４が突出して形成される。装着突起６１４は、互いに向かい合うように２つ形成され、円周方向に沿って折れ曲がっている。そのため、装着突起６１４の全体的な形状はフ字状に形成される。すなわち、装着突起６１４は、一端はディスク軸６１０に連結され、他端は折れ曲がってディスク軸６１０の表面から離隔するように形成される。
【０１５４】
ストッパ６１２はフランジ形状で、ディスク軸６１０の全周囲に沿って形成されている。ディスク軸６１０からストッパ６１２と突起６１５の間の断面形状は、中心点を基準に上下非対称で左右非対称となるように形成される。このようにディスク軸６１０を形成することにより、ディスク軸６１０にディスク６２０を挿入する場合、決められた方向にのみディスク６２０が挿入され、反対方向にディスク６２０が挿入される場合にはディスク６２０がディスク軸６１０に入らなくなる。
【０１５５】
従って、ディスク軸６１０において、ディスク６２０が挿入される部分の断面形状が上記のように形成されるので、使用者がディスク６２０を洗浄する場合、ディスク６２０をディスク軸６１０から分離した後に再び組み立てるときにディスク６２０の前後方向（前面と後面の方向）が逆になってディスク軸６１０に挿入されることを防止することができる。
【０１５６】
このように、ディスク６２０の組み立て方向が逆になることを防止し、ディスク６２０に形成されたリブ６２３が常に同じ方向を向けるようにすることで、再組立しても前記リブ６２３が下部ハウジング１００から水を効果的に汲み上げることができるようになる。
【０１５７】
なお、ディスク軸６１０の前記断面形状を中心点を基準に対角線に対して対称に形成することによって左右バランスが取れるようにして、ディスク軸６１０にディスク６２０を挿入した状態で地面に置いた場合、ディスク６２０がバランスを取り停止状態を維持するようにすることが好ましい。ディスク軸６１０は、上記のような条件を満足するものであればどの形状であってもよい。
【０１５８】
本実施例では、ディスク軸６１０の前記断面形状は、上部に上方に凸状の第１凸部６１７が形成され、下部に前記第１凸部６１７と交互に下方に凸状の第２凸部６１８が形成されている。すなわち、ディスク軸６１０は、全体的に前記断面形状が“∽”状に形成される。ここで、第２凸部６１８の内側端が第１凸部６１７の内側端と連結されるように第２凸部６１８が形成される。
【０１５９】
ディスク軸６１０のストッパ６１２と突起６１５の間において、第２凸部６１８が形成された部分の上部と、第１凸部６１７が形成された部分の下部に、溝６１８ａがディスク軸６１０の長手方向に沿ってそれぞれ長く形成されている。
【０１６０】
溝６１８ａは、それぞれの第２凸部６１８と第１凸部６１７の形状に対応するように折曲形成されている。溝６１８ａにはディスク軸６１０の幅方向にリブ６１９が２つまたは複数個形成されている。
【０１６１】
なお、ディスク軸６１０において、リブ６１９は、複数個のディスク６２０が挿入される部分が終わる地点に設けられている。すなわち、リブ６１９は、ディスク軸６１０の中心部の両側に配置されるように形成されている。
【０１６２】
ディスク軸６１０の係止突起６１２と第２突起６１５の間に配置され、それぞれの溝６１８ａに連通するように貫通孔６１３が２つずつ両側に形成されている。このような貫通孔６１３の形成により、ディスク軸６１０に水が流れ落ちるとき、ディスク軸６１０に水が溜まることなく貫通孔６１３を通じて排出される。
【０１６３】
両側の貫通孔６１３の間には表示部６１６が形成されている。すなわち、表示部６１６は、ディスク軸６１０の中心部に形成されている。ディスク軸６１０の両側に各々ディスク６２０が複数個挿入されるが、表示部６１６は、ディスク６２０が挿入される限界線を表示する役割をする。
【０１６４】
表示部６１６は、印刷などのような多様な方式で適用することができる。本実施例で表示部６１６は、両側に矢印形状が形成される貫通孔として形成される。
【０１６５】
前記貫通孔は、上述の貫通孔６１３と同様に、溝６１８ａにそれぞれ連通するように２つ形成される。このような、表示部６１６は、表示役割をすると同時に、水を排出する役割もすることができる。また、ディスク軸６１０が回転するときも、貫通しているためどの方向からでも簡単に表示部６１６を見ることができる。
【０１６６】
ディスク６２０は、ディスク軸６１０に挿入される貫通孔６２１が形成され、前記ディスク軸６１０に挿入される。貫通孔６２１は、ディスク軸６１０の断面形状に対応するようにディスク６２０の中心部に形成される。すなわち、貫通孔６２１の断面形状は全体的に長方形に形成され、長方形の上部右側と下部左側に円弧形状に屈曲部が形成される。
【０１６７】
ディスク６２０は、ディスク軸６１０の両側に表示部６１６の終端まで来るように挿入される。
【０１６８】
ディスク６２０前面及び背面の表面には貫通孔６２１を取り囲むように内側リブ６２１ａが形成される。
【０１６９】
このように、前記内側リブ６２１ａが突出して形成されることで、弱くなる可能性のある貫通孔６２１を補強し、ディスク６２０をディスク軸６１０に挿入したとき、ディスク６２０とディスク軸６１０の接触面積が大きくなり、ディスク６２０が一方に傾斜することなく安定的に設置される。
【０１７０】
また、ディスク６２０前面及び背面には、貫通孔６２１を取り囲む円形状の外側リブ６２１ｂが前記内側リブ６２１ａから離隔して形成される。すなわち、前記外側リブ６２１ｂは、貫通孔６２１と前記リブ６２３の間に配置される。このような、円形状の外側リブ６２１ｂは、複数個のディスク６２０をディスク軸６１０に挿入したとき、それぞれのディスク６２０間の間隔を一定に維持することを可能とする。
【０１７１】
前記リブ６２３は、ディスク６２０前面または背面にのみ形成されるか、前面と背面に同時に形成される。前面と背面に同時に形成される場合には、前面のリブ６２３と背面のリブ６２３の上端が互いに交互に配置される。
【０１７２】
ディスク組立体６００は、掃除する場合、貯水槽１００から分離し、傾斜のある場所に置いたときに転がることを防止するための滑り止め手段を備えている。
【０１７３】
前記滑り止め手段の例としては、図示するように、ディスク６２０の外周部の上下側に一定曲率の円弧を描きながら前記ディスク６２０の内側に凹入した滑り止め部６２４を形成する。
【０１７４】
この時、前記滑り止め部６２４は、上記と異なり、ディスク６２０の外側に突出した突起形状に形成するか、または、ディスク６２０の外周部の一部が直線状に面取りされた面取り形状に形成することも可能である。
【０１７５】
ストッパ６２７は、リブ６２３においてディスク本体２１０の中心部に近接した終端に形成される。ストッパ６２７は、円形状に円の接線方向に突出して形成される。
【０１７６】
前記リブ６２３には回転方向と反対方向に凸状の湾曲部６２５が形成されており、前記リブ６２３には前記湾曲部６２５と前記ストッパ６２７の間に回転方向と反対方向に凸状の折れ曲がった折曲部６２６が形成される。すなわち、リブ６２３は、全体的にフック形状に形成される。
【０１７７】
一方、ディスク６２０の回転方向によって湾曲部６２５及び折曲部６２６の折れ曲がる形状は変更することができる。
【０１７８】
折曲部６２６は、ストッパ６２７に近接するように形成され、湾曲部６２５より短く形成される。
【０１７９】
なお、リブ６２３の周縁側の終端全面に面取り部６２８が形成されてディスク６２０の周縁が尖状に形成されることを防止することができる。このように、面取り部６２８を形成することにより、使用者がディスク６２０を掃除する場合、先端の尖ったリブ６２３によって負傷を受けることを防止することができる。
【０１８０】
一方、本発明のディスク組立体６００において、ディスク６２０間の間隔は、加湿性能向上に繋がる重要要因であり、前記ディスク６２０間の間隔は、ディスク６２０に形成される外側リブ６２１ｂ及び内側リブ６２１ａの突出高さによって決定される。
【０１８１】
本発明における加湿性能向上に寄与するディスク６２０間の最適間隔を以下の実験から得られる。
【０１８２】
本発明による加湿器用ディスク組立体のディスク間隔の設定方法は、ディスク間隔による流量及び流量均一度のデータが算定された複数のモデル試料を抽出し、前記抽出されたモデル試料の中から流動均一度が小さくてディスク個数が最も多いモデルを最適モデルとして選定することを特徴とする。
【０１８３】
図２８は、ディスク間隔による流量分布を実験を通じて定性的に得たグラフである。また、図２９は、本発明のディスク間隔による流量及び流量均一度の実験データを整列した表である。図３０は、ディスク間隔による流量及び流量均一度の変化を示したグラフである。
【０１８４】
Ｍｏｄｅｌ Ｉ−ＩＶは同一領域、すなわち、第１のディスクと最後のディスクの間の距離は一定にした状態で、ディスク個数を調整することによってディスク間隔が変わる効果を利用してディスク間隔に対する最適な設計値を得られるモデルであって、各モデルは、ディスク間の流路を通過した空気の加湿性能を向上させるため、ディスク間に効果的な流動場が形成され得る設計値を得ることを目的として提案された改善モデルである。
【０１８５】
本実験は、内部流路の加湿効率をディスクの通過流量及び流量均一度と定義し、各モデル間の性能に対する定量化として用い、各モデルの性能を比較して最適な設計値を得ることを目的とする。
【０１８６】
本実験で用いる流量及び流動均一度は、中央断面からディスク間流路断面を通過する流量をディスク通過流量と定義し、ディスク内部に流入する流動の均一度を示すために、同一のディスク中央面における各点の流量値の標準偏差として次のように流量均一度（ｋ）を定義する。
【０１８７】
【数１】
2008128633.tif 000003
Ｎ：全体の測定点数
ρ：流体（空気）密度
Ｕ：平均風速
ｕｉ：測定点での風速
【０１８８】
前記流量均一度は、空気のディスク全面積に対する速度分布の均一度を示す指標であって、測定された各点での風速を全面積に対する平均風速の比で表したものである。
【０１８９】
また、本実験における流量均一度は、ディスク内部の平均質量流量に対するＸ-方向の各位置に対する局部質量流量の標準偏差と定義され、均一度の値が１に近いほど不均一な流動を意味し、０に近いほどディスク内部の全体に均一な流動場が形成されることを意味する。
【０１９０】
図２８に示すように、（ａ）のＡＯＳ基本モデルの場合、定性的に得られたディスク内部の流動分布から分かるように、ｘ＝０付近のディスク中央部で通過流量が顕著に減少しており、ディスクの外郭（ｘ≧±０．１）で流量が大きく形成されている。このような流動バラツキは、空気通過による自然蒸発能力を低下させるため、充分な加湿性能を発揮することができない。
【０１９１】
一方、（ｂ）は、ディスクの個数を前後方にそれぞれ１つずつ減少せて１４個のディスクを使用するモデルである。（ｂ）から分かるように、上記のＡＯＳ基本モデルに比べてｘ＝０付近のディスク中央部の流量が増加した。
【０１９２】
また、（ｃ）〜（ｅ）は、それぞれディスクの個数が１２個、１０個、そして６個である各モデルのディスク通過流量を示す。（ｃ）〜（ｅ）から分かるように、流量分布の定性的な様態は、上記のＡＯＳ基本モデルと類似しているが、ディスクの個数が減少することによって全体流量が増加することが分かる。これは、ディスク個数の減少によって粘性力が作用する壁面の面積は減少し、流動が通過する面積は増加するためである。
【０１９３】
ここで、加湿量は、ディスク表面の水分とその表面を通過する空気による自然蒸発によって決定されるので、流量増加が加湿量の増加を意味するわけではない。従って、本発明では、流量均一度を考慮して流量均一度の性能が良好であると同時にディスク個数の多いモデルを最適モデルとして選定することが好ましい。
【０１９４】
一方、図２９のディスク間隔による流量及び流量均一度を示す表から得られたディスク間隔（Ｐ）は、
１６-ディスク→６．０ｍｍ
１４-ディスク→６．８ｍｍ
１２-ディスク→８．０ｍｍ
１０-ディスク→９．６ｍｍ
であり、ディスクモデルによるディスクのピッチ（Ｐ）、厚さ（Ｔ）及び間隙（Ｇ）などのデータ値は以下の表のとおりである。
【０１９５】
【表１】
2008128633.tif 000004
単位：ｍｍ
ディスクのピッチ（Ｐ；ｐｉｔｃｈ）：ディスク中心から次のディスク中心までの距離
ディスクの間隙（Ｇ）：向かい合うディスク面間の距離（Ｐ−Ｔ）
リブの高さ（Ｈ）：ディスク側面のリブ突出高さ（（Ｐ−Ｔ）／２）
【０１９６】
図３０は、ディスク間隔による流量及び均一度の変化を示し、ｘ−軸はディスクの間隔、ｙ１−軸（左側）は流量、ｙ２−軸（右側）は流量均一度である。図３０のグラフから分かるように、１４−ディスク及び１２−ディスクに形成される流量均一度は、ディスク間隔をより増加させても大きな変化がないが、流量は次第に増加している。既に述べたように、流量の増加は、加湿量の増加を意味するわけではなく、よって本発明では、多くのディスクを使用しながらも流量が均一にディスク内部に流入するモデル１（１４−ディスク）とモデル２（１２−ディスク）をディスク間隔に対する最適設計値として選定した。上記実験方法における本発明による最適のディスク間隔は、６．５〜８．６ｍｍの範囲で形成することが好ましい。
【０１９７】
一方、本発明による加湿器用ディスク組立体のディスク間隔の設定方法は、上記のディスク間隔設定方法以外の方法で行なうことも可能である。まず、ディスク間隔による流量及び流量均一度データが算定された複数のモデル試料を抽出し、前記抽出されたモデル試料の中から流動均一度が０．３５以下であるモデルを最適モデルとして選定する方法を用いることも可能である。
【０１９８】
また、本発明による加湿器用ディスク組立体のディスク間隔の設定方法は、まず、ディスク間隔による流量及び流量均一度データが算定された複数のモデル試料を抽出し、前記抽出されたモデル試料の中から流動均一度が０．３５以下でディスク数量が多いモデルを最適モデルとして選定することもできる。
【０１９９】
図２２は、本発明の他の実施例による加湿空気清浄機を示す。この実施例による加湿空気清浄機は、回転軸４０００は、複数個のディスク６２０に形成された貫通孔６２１に挿入される。
【０２００】
回転軸４０００の前方には駆動ギヤ４１００が設けられ、駆動ギヤ４１００の前方に来るように回転軸４０００に係止溝が形成される。
【０２０１】
可動装置（図示せず）は、前記駆動ギヤ４１００を回動させるためのもので、モータとモータの軸に連結された可動ギアを含めて、可動ギアと駆動ギヤ４１００を噛み合うようにしてディスク６２０を回動させることができる。
【０２０２】
ハウジング３０００は、前記ディスク６２０が内部に設けられ、内部に水を貯める水タンクとして機能する。ハウジング３０００は、上部ハウジングと下部ハウジングで構成され、下部ハウジングに水を貯め、上部ハウジングはカバーの役割をする。
【０２０３】
ハウジング３０００は、ディスク６２０の形状に対応するように両側面を傾斜して形成することで、ハウジング３０００の占める空間を最小にすることができる。ハウジング３０００の下部ハウジングの全面には支持突出部３１００が突出して形成される。
【０２０４】
支持突出部３１００の高さは、ディスク６２０の貫通孔６２１の位置に対応するように下部ハウジングの上面より高く形成される。支持突出部３１００には回転軸４０００が安着する溝が形成され、前記溝に連通するように回転軸４０００の係止溝に挿入される係止爪が形成される。
【０２０５】
前記係止爪には回転軸４０００が簡単に離脱しないように安着溝が形成される。これにより、ディスク６２０及び回転軸４０００は、ハウジング３０００に回動可能に装着される。
【０２０６】
このような構成により、前記可動装置が動作すると可動装置によって回転軸４０００が回動するようになり、回転軸４０００に連結されたディスク６２０も連動する。
【０２０７】
一部が水に沈むように設置されたディスク６２０が回動すると、水の中のリブ６２３は、水の外に出ながら湾曲部６２５を通じて水を汲むようになる。このようなリブ６２３が継続的に回動する場合、湾曲部６２５の水は下に流れるようになるが、このとき、リブ６２３の終端部に形成された折曲部６２６及びストッパ６２７によって水が垂直に直接流れずにリブ６２３の終端部に留まる。これにより、従来の１つのディスク６２０を通じてより多くの水分を長時間含有することができるので、加湿効率が向上する。
【０２０８】
スペーサ６３０は中空形状で、前記ディスクグループ６２０Ａと前記ディスクグループ６２０Ｂの間に配置されるようにディスク軸６１０に挿入される。スペーサ６３０に設けられた貫通孔もディスク軸６１０の断面形状に対応するように形成されている。
【０２０９】
スペーサ６３０の外周面にはすべての周囲にギヤ６３１が形成されている。このギヤ６３１は、ディスクモータ５１０の駆動ギヤ５３０と噛み合っている。ギヤ６３１は、スペーサ６３０の一側に偏心するように形成され、ディスクモータ５１０の占有空間のレイアウトを向上させることができる。
【０２１０】
また、スペーサ６３０の外周面には、スペーサ６３０の長手方向に沿って長くリブ６３２が形成されている。リブ６３２は、ギヤ６３１の左右側に配置されるように形成されている。このようなリブ６３２によってスペーサ６３０が補強されるという効果がある。
【０２１１】
このようなスペーサ６３０は、複数個のディスクグループ（６２０Ａ、６２０Ｂ）の左右間隔を維持する役割をすると同時に、ディスク駆動部５００のモータ５１０から回動力をディスク軸６１０に伝達する役割をする。
【０２１２】
キャップ６４０は、支持軸６４５ａの機能をする円筒形状に形成され、ディスク軸６１０の終端である突起６１５に挿入される。キャップ６４０終端の外周面には、フランジ６４１が前周囲に沿って形成されている。フランジ６４１には装着突起６１４が挿入される挿入孔６４３が形成されている。挿入孔６４３は、円周方向に沿って互いに向かい合うように２つ形成される。
【０２１３】
キャップ６４０にはフランジ６４１上部に来るように係止部６４２がフランジ６４１に段差を有するように形成される。ここで、係止部６４２は、フランジ６４１との間に空間部が形成されるようにフランジ６４１から離隔して形成される。
【０２１４】
前記空間部は、挿入孔６４３に連通するように形成され、外部から係止部６４２の内部が見えるように係止部６４２の上面には貫通孔が前記空間部に連通するように形成される。
【０２１５】
このような係止部６４２に形成された貫通孔により、外部で組み立てる場合、係止部６４２とフランジ６４１の間に配置される装着突起６１４の位置が分かりやすく、組み立てが容易となる。さらに、キャップ６４０の内周面にはねじ山が形成されるので、ディスク軸６１０の突起６１５にねじ結合させることができる。
【０２１６】
このような構成のディスク組立体６００は、ディスク軸６１０に複数個のディスクグループ６２０Ａを表示部６１６の左側端まで挿入し、ディスク軸６１０にスペーサ６３０を挿入した後にディスク軸６１０に再び複数個のディスク６２０Ｂを挿入する。次いで、ディスク軸６１０の突起６１５にキャップ６４０を挿入すると同時に、装着突起６１４をフランジ６４１の挿入孔６４３に挿入した後でキャップ６４０を回すと、装着突起６１４は、係止部６４２とフランジ６４１の間の空間部に安着されて組み立てが完了する。ここで、装着突起６１４は、係止部６４２とフランジ６４１によって移動が制限され、固定状態を維持するようになる。
【０２１７】
このように、ディスク６２０を一方向からディスク軸６１０に挿入した後にキャップ６４０を組み立てるので、組み立て工数が減少し、組み立てが容易である。
【０２１８】
下部ハウジング１００は、図１１及び図１２に示すように、底面と、底面を取り囲む側壁を含む貯水槽１００で構成される。下部ハウジング１００は四角形状に形成され、前方及び後方の側面には、安着溝１１１が形成された第１支持部１１０、及び安着溝（１１４、１１５）が形成された第２支持部１２０がそれぞれ側面に沿って左右方向に形成されている。第１支持部１１０及び第２支持部１２０は、下部ハウジング１００の底面が上部に突出して形成される。すなわち、ドローイング加工してキャップ形状と類似に形成するのと同じである。
【０２１９】
従って、第１支持部１１０及び第２支持部１２０が形成される部分には、下部ハウジング１００の底面に溝が形成される。前記溝は、装置を移動させるとき取っ手としても使用可能である。
【０２２０】
第１支持部１１０及び第２支持部１２０は、下部ハウジング１００の側面から離隔するように突出した突出部が形成されている。前記突出部の高さは、下部ハウジング１００の側面より高く形成される。第１支持部１１０の前記突出部には、装置の前後方を表示する表示文字が刻まれている。
【０２２１】
また、下部ハウジング１００の第２支持部１２０の突出部は、スイッチング部８３０を支持する支持部の役割をする。下部ハウジング１００の左右側の側面内壁には支持リブ１４０がそれぞれ形成されている。支持リブ１４０は板状に形成され、下部ハウジング１００の側面に垂直に装置の上下方向に形成されている。支持リブ１４０の上部には安着溝１４１が形成されている。前記ハウジングにおいて、取っ手部６５６が安着される面は傾斜して形成される。
【０２２２】
安着溝１４１は、下部ハウジング１００の外側に向かうほど次第に深さが大きくなるように形成されている。このような安着溝１４１により、傾斜して配置されるディスク軸の取っ手６５０が安定的に安着される。また、支持リブ１４０上部と下部ハウジング１００側面の間には、安着溝１４１より低い高さの溝が形成されている。
【０２２３】
なお、下部ハウジング１００の左右側の側面内壁には、支持リブ１４０の下部に配置されるように突出部１３０が側面に沿って前後方向に形成されている。
【０２２４】
突出部１３０は、下部ハウジング１００の側面外側及び底面から内側に突出して形成される。従って、側面及び底面には溝が形成されている。このような溝は、使用時に使用者が手を入れて装置を移動させるための取っ手として機能することができる。突出部１３０も支持部（１１０、１２０）と同様に、ドローイング加工して形成することが可能である。
【０２２５】
前記溝は逆フ字状に形成され、下部ハウジング１００の内部には側面と突出部１３０の間に溝１３１が形成される。下部ハウジング１００後側の側面上部には引き出し溝１６０が形成される。引き出し溝１６０は、下部に向かうほどその幅が小さくなるように形成される。このような引き出し溝１６０により、電源接続線が装置外部に引き出される。
【０２２６】
下部ハウジング１００は、内周面に挿入溝が形成される。前記挿入溝は、下部ハウジング１００の底面に形成されている。図１２に示すように、前記挿入溝は、下部ハウジング１００の内壁に２つ形成された装着突起１５１に形成される。２つの装着突起１５１は互いに向かい合うように配置され、それぞれ内側に挿入溝が互いに向かい合うように形成されている。そのため、装着突起１５１を平面から見ると、Ｕ字状になっている。
【０２２７】
また、装着突起１５１には収納フレーム７００が挿入される方向に切開部１５２が形成される。すなわち、切開部１５２は、装置の上下方向に形成されている。切開部１５２は、前記挿入溝に連通するようになっている。
【０２２８】
このような下部ハウジング１００の装着突起１５１に収納フレーム７００を挿入すると、装着突起１５１の切開部１５２が広がって弾性変形し、殺菌部材が前記挿入溝に挿入されて、装着突起１５１に殺菌部材が堅固に装着される。
【０２２９】
それぞれの前記挿入溝の内周面である装着突起１５１の内壁には、水平方向に結合突起１５４が形成されている。また、下部ハウジング１００の底面には装着突起１５１の間に配置されるように溝１５３が長く形成されている。
【０２３０】
殺菌部材は大きく分けて、殺菌チップ（図示せず）と、この殺菌チップを着脱可能に収納する収納フレーム７００で構成される。前記殺菌チップは、銀（Ａｇ）網または銀（Ａｇ）ボールのような殺菌物質として備えられ、下部ハウジング１００に貯まれる水に細菌が繁殖することを防止することができる。
【０２３１】
すなわち、図１８に示すように、このような殺菌部材は、従来の液体殺菌剤を貯水槽の水に入れて使用する方法に比べて、使用が簡単で（水をすべて交換する必要がなく、殺菌チップのみの交換で済む。）、運転日数８日目まで一般細菌の繁殖がないという実験結果が出た。
【０２３２】
また、殺菌部材は、図１６に示すように、ディスクグループ（６２０Ａ、６２０Ｂ）の先端側６２９に配置装着されることが好ましい。先端側６２９は、ディスクグループ（６２０Ａ、６２０Ｂ）が水中に入る部分であり、後端側６２２は、水から出る部分（すなわち、水を汲み上げる部分）である。
【０２３３】
従って、ディスク組立体６００が回転すると、図１６に示すように、水の波動が先端側６２９から始まって矢印方向に水流が起こる。この水流は、殺菌部材に先に接触した後で流れて行くので殺菌物質の良好な溶出と、この溶出物質を貯水槽１００内に均一に拡散させる役割をする。
【０２３４】
収納フレーム７００は、図１３に示すように、第１板７１０と第２板７２０を備えるケース本体を含み、前記第１板７１０と前記第２板７２０の間に空間部が形成され、前記空間部と連通する流出入口（７１５、７２５）が形成される。収納フレーム７００は、下部ハウジング１００に形成された前記挿入溝に挿入される。
【０２３５】
第１板７１０及び第２板７２０は板状に形成され、互いに向かい合う面に収容溝（７１２、７２２）が形成されている。このような収容溝（７１２、７２２）により前記空間部が形成され、前記空間部に前記殺菌チップが配置される。第２板７２０は、終端に断面積が他の部分より小さく形成されて第１板７１０に連結されることによって、第１板７１０に回動可能に連結される。
【０２３６】
また、一方、第２板７２０を第１板７１０と完全に分離して設けることも可能で、その場合第２板７２０は、第１板７１０に係止爪７１１と係止フック７２１の結合によって結合される。このように、第２板７２０と前記第１板７１０が互いに連結されているので、収納フレーム７００の貯臓及び保管が便利である。
【０２３７】
第１板７１０及び第２板７２０には四角形状の流出入口（７１５、７２５）が３つずつ形成されている。第１板７１０の両側及び下部外側面には係止爪７１１が周縁に沿って突出して形成されている。第２板７２０の両側及び下部外側面には、係止爪７１１に引っかかる係止フック７２１が形成される。係止フック７２１は、係止爪７１１の形成位置に対応するように周縁に沿って第１板７１０に向かって突出して形成される。係止フック７２１は、第１板７１０に向かうほど厚さが小さくなるように傾斜面をなしている。このように、係止フック７２１と係止爪７１１により収納フレーム７００を開閉することができるので、殺菌チップの交換が容易となる。
【０２３８】
前記ケース本体である第１板７１０と第２板７２０の外側面には挿入突起（７１３、７２３）が両側にそれぞれ形成される。挿入突起（７１３、７２３）は、第１板７１０と第２板７２０の下部に形成される。挿入突起（７１３、７２３）は、一面が第１板７１０と第２板７２０の下面に延長するように形成される。挿入突起（７１３、７２３）の外側面には結合突起１５４が挿入される結合溝７２６が形成される。収納フレーム７００を下部ハウジング１００に装着するとき、２重の固定効果をもたらして安定的に設置することができる。
【０２３９】
収納フレーム７００には流出入口（７１５、７２５）と前記結合溝７２６の間に配置されるように貫通孔７１４が形成されている。例えば、挿入突起（７１３、７２３）には貫通孔７１４がそれぞれ形成される。このような貫通孔７１４により、前記収納フレーム７００を前記挿入溝に挿入するとき、前記収納フレーム７００が弾性的に変形することを許容して、収納フレーム７００が曲がることを防止し、収納フレーム７００が前記挿入溝に堅固に装着される。
【０２４０】
収納フレーム７００に形成された前記空間部に殺菌手段を設けた後、第１板７２０を回動させてそれぞれの係止フック７２１を係止爪７１１に引っかかるようにすると、殺菌チップと収納フレーム７００の組み立てが完了する。
【０２４１】
このように、殺菌チップが含まれた収納フレーム７００を装着突起１５１の間に配置すると同時に、溝１５３上部に来るように配置して下に押すと、収納フレーム７００の挿入突起（７１３、７２３）が装着突起１５１の挿入溝に挿入されると同時に結合突起１５４が結合溝７２６に挿入され、収納フレーム７００の取り付けが完了する。このように、収納フレーム７００は、ワンタッチ式で下部ハウジング１００に堅固に設置され、取り付けが容易となる。
【０２４２】
このような収納フレーム７００の流出入口（７１５、７２５）を下部ハウジング１００内部の水が通過するようになり、前記殺菌チップによって水が殺菌されるので、貯めている水に細菌が繁殖することを防止することができる。
【０２４３】
ディスク軸の取っ手６５０は、図１４及び図１５に示すように、前記ハウジングの下部ハウジング１００の内部に配置され、前記ディスク軸６１０に挿入される挿入部６５１と、前記挿入部６５１に連結される取っ手部６５６を含む。
【０２４４】
取っ手部６５６には貫通孔６５８が形成され、貫通孔６５８に連通するように挿入孔６５７が形成される。取っ手部６５６は、挿入部６５１に近づくほど幅が小さくなるように板状に形成され、全体的に三角形状となっている。貫通孔６５８は、取っ手部６５６の全体的な形状に対応するように挿入部６５１に近づくほど幅が小さくなるように形成される。挿入孔６５７は、ディスク軸の取っ手６５０の長手方向に形成される。ディスク軸の取っ手６５０は、ディスク軸６１０に挿入された状態で下部ハウジング１００に形成された安着溝１４１に取っ手部６５６が安着される。
【０２４５】
この構成によれば、ディスク軸の取っ手６５０が前記ハウジング内部に安定的に配置されて左右に流動することを防止するので、摩擦による騒音を防止することができる。
【０２４６】
このようなディスク軸の取っ手６５０を安着する場合、下部ハウジング１００の一部である支持リブ１４０の上部が挿入孔６５７に挿入され、ディスク軸の取っ手６５０が左右に流動することをより効果的に防止することができる。
【０２４７】
挿入部６５１は、取っ手部６５６に連結される本体部と、前記本体部に回動可能に設置される回動部６５２を含む。
【０２４８】
また、一方、前記回動部６５２は、前記本体部と一体に形成されて回動不可能に形成することも可能である。
【０２４９】
挿入部６５１は、ディスク軸の取っ手６５０の幅方向にディスク軸６１０が挿入される貫通孔が形成される。ここで、ディスク軸６１０は、挿入部６５１に挿入された状態で挿入部６５１に対して回動可能である。また、挿入部６５１には、ディスク軸の取っ手６５０の長手方向に逆コ字状の切開部が前記貫通孔に連通するように形成される。前記本体部の底面には、回動部６５２が引っかかる係止爪６５５がディスク軸の取っ手６５０の幅方向に形成されている。このように係止爪６５５が形成されて回動部６５２の位置が決定されるので、挿入突起６５４を挿入孔６５３に挿入することが容易となる。
【０２５０】
前記本体部には挿入孔６５３が形成され、前記挿入孔６５３に挿入される挿入突起６５４が回動部６５２に形成される。挿入孔６５３は、ディスク軸の取っ手６５０の幅方向に両側に２つ長く長孔に貫通して形成される。挿入突起６５４は、回動部６５２の自由端側の内壁に突出して形成される。挿入突起６５４は、フック形状に形成され、挿入孔６５３に挿入し易く、挿入した後は堅固に固定されることができる。
【０２５１】
回動部６５２は、終端の断面積が小さくなるように形成されて前記本体部に連結されることにより、回動部６５２は、前記本体部に回動可能に連結される。
【０２５２】
このような構成のディスク軸の取っ手６５０は、前記本体部をディスク軸６１０に挿入されたスペーサ６３０の上部に置き、回動部６５２を回動させて挿入突起６５４を挿入孔６５３に挿入すると、ディスク軸の取っ手６５０をディスク軸６１０に装着することができるようになる。また、ディスク軸の取っ手６５０をディスク軸６１０から分離する場合には、回動部６５２の挿入突起６５４を挿入孔６５３から抜き出すと脱離する。このように、ディスク軸の取っ手６５０を前記ディスク軸６１０に対して容易に脱着することが可能である。
【０２５３】
このようなディスク軸の取っ手６５０を利用して貫通孔６５８に使用者が指を入れて持ち上げると、ディスク組立体６００を簡単に下部ハウジング１００から持ち上げることができるようになる。
【０２５４】
このような構成の加湿空気清浄機は、下部ハウジング１００の内部に殺菌部材を設け、ディスク軸の取っ手６５０が設けられたディスク組立体６００を配置し、駆動部を備えた前記上部ハウジング２００を下部ハウジング１００に結合することによって組み立てが完了する。
【０２５５】
このような加湿空気清浄機は、送風機９００によって室内の空気が流入し、これと同時に、駆動部５００によってディスク６２０が回動して、下部ハウジング１００にある水に浸された部分が上部に移動する。このような過程を通じて水に浸されたディスク６２０と流入された空気が接触し、空気に含まれた異物は水に付着されて沈澱し、空気には湿気が含まれて排気口３２１から排出される。
【０２５６】
図２５〜図２７は、本発明の他の実施例による加湿空気清浄機を示す。
【０２５７】
図２５は、ディスク組立体６００を分解し組み立てる場合、前記ディスク組立体６００をボトルに一時的に固定できる貯水槽１００内部の固定構造を示す。図２６は、図２５を上部から見た平面図であり、図２７は、ディスク組立体６００のディスク軸が固定される固定部の構造を示した部分断面図である。
【０２５８】
図２５〜図２７に示すように、貯水槽１００の底の中央には、ディスク組立体６００を分解し組み立てる場合、前記ディスク組立体６００のディスク軸を一時的に挿入して固定できる固定部１０４が形成されている。
【０２５９】
さらに、前記貯水槽１００の内壁面は、前記固定部１０４に挿入されて固定されたディスク組立体６００のディスク６２０の枠部を支持するための支持部を備えている。
【０２６０】
前記支持部としては貯水槽１００内側の前後方向に位置し、ディスク６２０のディスク軸が支持される第１支持部１１０及び第２支持部１２０が備えられる。第１支持部１１０及び第２支持部１２０の内側面には、ディスク６２０の枠の一部が支持されるように円弧形状の曲面をなす安着溝１１４が形成される。前記支持部として、貯水槽１００の左右側から凹入して貯水槽１００の底から突出して形成された取っ手部１０２と、前記ディスク６２０の枠の一部を支持するために前記取っ手部１０２上部に形成された支持リブ１４０をさらに備えることができる。
【０２６１】
これにより、貯水槽１００の底の固定部１０４にディスク組立体６００のディスク軸が挿入されて固定された状態でディスク６２０の枠部が前後左右に配置された支持部によって支持されるため、ディスク組立体６００が流動せずに安定的に正しい位置に固定されることができる。
【０２６２】
上述の構成を有する本発明の加湿器は、貯水槽１００の内部に収納フレーム７００とともに、ディスク軸の取っ手６５０が結合されたディスク組立体６００を取り付け、貯水槽１００上部に駆動部を備える第２上部ハウジング３００及び第１上部ハウジング４００を結合して組み立てが完了する。
【０２６３】
従って、送風ファン９１０により加湿器内部に汚染した室内空気が吸い込まれて内部フィルタによって汚染物質が浄化され、この浄化された空気は、水に一部が浸された状態で回転するディスク６２０による水分を含む過程を通じて、空気中に含まれた異物は水によって除去され、空気には水分が含まれた状態で第２上部ハウジング３００の排出口から室内に排出される。
【０２６４】
以下、上述の構成を有する本実施例による加湿空気清浄機の制御方法を説明する。
【０２６５】
上記目的を達成するための本発明の加湿空気清浄機の制御方法は、加湿空気清浄機の前記上部ハウジング２００と下部ハウジング１００が分離されているかどうかを感知する感知段階と、前記上部ハウジングと前記下部ハウジング１００の分離状態によって前記加湿空気清浄機の電源を制御する制御段階を含む。
【０２６６】
前記感知段階において、前記上部ハウジング２００と下部ハウジング１００が分離されているかどうかを多様な方法で感知することができる。例えば、センサーを利用したり、上記実施例のようにスイッチ８００を利用するなど、様々な方法を用いることができる。
【０２６７】
前記制御段階において、制御部を備えて前記感知段階で感知された情報により自動的に加湿空気清浄機の電源を制御することができる。また、一方、前記制御部を別途備えることなく、スイッチ８００により感知及び電源制御を同時に行なうようにすることも可能である。
【０２６８】
前記制御段階において、前記上部ハウジングと下部ハウジング１００が分離されている場合は、前記加湿空気清浄機の駆動部５００の電源を断ち、前記上部ハウジングと下部ハウジング１００が結合されている場合は、前記加湿空気清浄機の駆動部５００に電源を入れるようにすることができる。
【０２６９】
尚、本発明は、上述の実施例に限られるものではない。本発明の技術的範囲から逸脱しない範囲内で多様に変更実施することが可能である。
【図面の簡単な説明】
【０２７０】
【図１】従来の加湿空気清浄機の概略図。
【図２】本発明の好適な実施例による加湿空気清浄機の分離斜視図。
【図３】本発明の好適な実施例による上部ハウジング内部の部分斜視図。
【図４】スイッチを設置した状態の斜視図。
【図５】スイッチの側面図。
【図６】第２枠の部分斜視図。
【図７】ディスク組立体の分離側面図。
【図８】ディスク組立体の分離斜視図。
【図９】図８のＢ−Ｂ断面図。
【図１０】キャップ背面図。
【図１１】ディスク軸の取っ手を設置した状態の図。
【図１２】下部ハウジングの部分拡大斜視図。
【図１３】殺菌手段ケースの斜視図。
【図１４】ディスク軸の取っ手の斜視図。
【図１５】ディスク軸の取っ手の側面図。
【図１６】貯水槽にディスク組立体が支持された状態の平面図。
【図１７】図１６のＣ−Ｃ線断面図。
【図１８】自然増発式加湿器における各殺菌方式別運転期間による細菌数の変化を示すグラフ。
【図１９】図２の結合正面図。
【図２０】図１９のＡ−Ａ線断面図。
【図２１】本発明の好適な実施例による加湿空気清浄機用ディスクの正面図。
【図２２】本発明の好適な実施例によるディスク組立体の斜視図。
【図２３】本発明によるディスク組立体の詳細図。
【図２４】本発明による送風ファン設置の周辺部構造を示す斜視図。
【図２５】本発明によるディスク組立体の固定構造を示す組立図。
【図２６】図２５を上部から見た平面図。
【図２７】ボトル内部のディスク組立体の固定構造を示す部分断面図。
【図２８】本発明のディスク間隔による流量分布を定性的に示すグラフ。
【図２９】本発明のディスク間隔による流量及び流量均一度の実験データを示す表。
【図３０】本発明のディスク間隔による流量及び流量均一度の変化を示すグラフ。
【符号の説明】
【０２７１】
１００  貯水槽（下部ハウジング）
１１０  第１支持部
１１１、１１４、１１５  安着溝
１１２  線接触突起
１１３  係止片
１２０  第２支持部
１３０  突出部
１４０  支持リブ
１４１  安着溝
１５１  装着突起
１５２  切開部
１５４  結合突起
１６０  引き出し溝
２００  上部ハウジング
３００  第２上部ハウジング（排気フレーム）
３１０  第１枠
３２０  中間部
３２１  排気口
３３０  第２枠
３３１  引き出し溝
３３２  貫通孔
３３３  電線ガイド
３３４  スイッチ取り付け部
３３５  装着パイプ
３３６  第２装着フック
４００  第１上部ハウジング
４０１  吸気口
４０２  調節部
４１０  集束ガイド片
５００  ディスク駆動部
５１０  ディスクモータ
５３０  駆動ギヤ
６００  ディスク組立体
６１０  ディスク軸
６１１  支持突起
６１２  係止突起
６１４  装着突起
６１５  突起
６１６  表示部
６１７  第１凸部
６１８  第２凸部
６１９  リブ
６２０  ディスク
６３０  スペーサ
６３１  ギヤ
６３２  リブ
６４０  キャップ
６４１  フランジ
６４２  係止部
６４３  挿入孔
６５０  ディスク軸の取っ手
６５１  挿入部
６５２  回動部
６５３  挿入孔
６５４  挿入突起
６５５  係止爪
６５６  取っ手部
７００  収納フレーム
７１０  第１板
７２０  第２板
７１１  係止爪
７１２、７２２  収容溝
７１３、７２３  挿入突起
７１５、７２５  流出入口
７２１  係止フック
７２６  結合溝
８００  スイッチ
８１０  接続端子
８３０  スイッチング部
８４０  タクトスイッチ
８５０  ブラケット
８５１  ガイド突起
８５２  挿入フック
８５３  第１装着フック
９００  送風機
９１０  送風ファン
９２０  ケーシング
９３０  送風モータ
１０００  駆動部
【図１】
2008128633.tif 000005
【図２】
2008128633.tif 000006
【図３】
2008128633.tif 000007
【図４】
2008128633.tif 000008
【図５】
2008128633.tif 000009
【図６】
2008128633.tif 000010
【図７】
2008128633.tif 000011
【図８】
2008128633.tif 000012
【図９】
2008128633.tif 000013
【図１０】
2008128633.tif 000014
【図１１】
2008128633.tif 000015
【図１２】
2008128633.tif 000016
【図１３】
2008128633.tif 000017
【図１４】
2008128633.tif 000018
【図１５】
2008128633.tif 000019
【図１６】
2008128633.tif 000020
【図１７】
2008128633.tif 000021
【図１８】
2008128633.tif 000022
【図１９】
2008128633.tif 000023
【図２０】
2008128633.tif 000024
【図２１】
2008128633.tif 000025
【図２２】
2008128633.tif 000026
【図２３】
2008128633.tif 000027
【図２４】
2008128633.tif 000028
【図２５】
2008128633.tif 000029
【図２６】
2008128633.tif 000030
【図２７】
2008128633.tif 000031
【図２８】
2008128633.tif 000032
【図２９】
2008128633.tif 000033
【図３０】
2008128633.tif 000034